(57)【要約】【課題】送信者が自分の現在位置を受信者に説明する煩わしさをなくし、受信者は送信者の正確な現在位置を容易に知ることがでボタンるようにする。【解決手段】送信者が端末１ａの通話ボタンの押下すると、端末１ａは最も近い無線ＩＤ発信器４からその固有の識別子を取得して、取得した識別子を通信網２により管理サーバ５に送り、更に管理サーバ５がこの識別子を通信網２によりを受信者の端末１ｂ、１ｃに送ると、端末１ｂ、１ｃは受信した識別子を記憶部のテーブルと照合することにより無線ＩＤ発信器４の設置位置を特定して、その特定した位置を送信者の現在位置として表示部に文字表示する。【選択図】図１
2007214833.tif 000002
【特許請求の範囲】
【請求項１】
通話の際に押下する通話ボタン、及び表示部を有する複数の携帯用の端末を備え、施設内に敷設された通信網を介して無線により端末同士を接続して送信者側の利用者が端末の通話ボタンを押しながら受信者側の利用者の端末に音声情報を送る無線通信システムにおいて、
施設内の各所に固有の識別子を無線発信する発信器を設置すると共に、各発信器の識別子とその発信器の設置位置を示す情報を対応させたテーブルを備え、
送信者側の端末の通話ボタンの押下により、該端末は最も近い発信器からその識別子を取得し、該識別子を前記テーブルと照合することにより特定される位置を受信者側の端末の表示部に送信者の現在位置として文字表示することを特徴とする無線通信システム。
【請求項２】
請求項１に記載の無線通信システムにおいて、
前記通信網に接続された管理サーバを備え、
前記テーブルは前記各端末が保有し
前記送信者側の端末は前記発信器から取得した識別子を通信網を介して前記管理サーバを経由して前記受信者側の端末に送り、
該受信者側の端末は前記管理サーバから受信した識別子を前記テーブルと照合することにより特定される位置を送信者の現在位置として表示部に文字表示することを特徴とすることを特徴とする無線通信システム。
【請求項３】
請求項１に記載の無線通信システムにおいて、
前記通信網に接続された管理サーバを備え、
前記テーブルは該管理サーバが保有し
前記送信者側の端末が前記発信器から取得した識別子を通信網を介して前記管理サーバに送ると、管理サーバはその識別子を前記テーブルと照合することにより特定される位置を送信者の現在位置として受信者側の端末に送り、
受信者側の端末は管理サーバから受信した送信者の現在位置を表示部に文字表示することを特徴とする無線通信システム。
【発明の詳細な説明】
【技術分野】
【０００１】
本発明は、無線通信を利用して携帯可能な端末で通信を行うシステムに関するもので、特に送信者の位置を受信者に知らせるための無線通信システムに関するものである。
【背景技術】
【０００２】
工場やビルあるいはイベント会場等の屋内で無線により通話を行うシステムとしてトランシーバやＰＨＳなどの端末を利用するものがある。
このようなシステムにおいて端末の位置を取得する技術として、下記特許文献１に示されたものがある。
この特許文献の技術では、例えば美術館内に位置識別用のＩＤを赤外線により発信する複数の位置無線ＩＤ発信器を設置し、利用者が携帯する端末が位置無線ＩＤ発信器の発信エリア内に入ると、その位置無線ＩＤ発信器から発信されるＩＤを端末が受信して位置を算出し、その算出した位置を地図に載せて端末の表示画面に表示するものとなっている。
【特許文献１】特開２０００−１１１６４８号公報（段落「００２２」、図１）
【発明の開示】
【発明が解決しようとする課題】
【０００３】
しかしながら、上述した従来の技術においては、利用者が携帯する端末に利用者自身の位置を表示するものであるため、利用者が端末で他の利用者と通話する際に受信者が送信者の現在位置を知りたい場合、送信者が表示画面に表示された地図上の自分の位置を確認して言葉で伝えなければならないために煩わしく、また時間がかかるという問題がある。
本発明は、このような問題を解決することを課題とする。
【課題を解決するための手段】
【０００４】
そのため、本発明は、通話の際に押下する通話ボタン、及び表示部を有する複数の携帯用の端末を備え、施設内に敷設された通信網を介して無線により端末同士を接続して送信者側の利用者が端末の通話ボタンを押しながら受信者側の利用者の端末に音声情報を送る無線通信システムにおいて、施設内の各所に固有の識別子を無線発信する発信器を設置すると共に、各発信器の識別子とその発信器の設置位置を示す情報を対応させたテーブルを備え、送信者側の端末の通話ボタンの押下により、該端末は最も近い発信器からその識別子を取得し、該識別子を前記テーブルと照合することにより特定される位置を受信者側の端末の表示部に送信者の現在位置として文字表示することを特徴とする。
【発明の効果】
【０００５】
このようにした本発明は、送信者が端末により自分の音声を受信者の端末に送信する際、受信者の端末の表示部に送信者を現在位置が自動的に文字表示されるので、送信者は自分の現在位置を受信者に説明する煩わしさがなくなり、受信者は送信者の正確な現在位置を容易に知ることがでボタンるという効果が得られる。
【発明を実施するための最良の形態】
【０００６】
以下、図面を参照して本発明による無線通信システムの実施例を説明する。
【実施例】
【０００７】
図１は実施例を示すシステム構成図である。
図において１ａ、１ｂ、１ｃは利用者が携帯する端末で、後述する通話ボタンを押下することにより少なくとも１台の通信相手の端末に自分の音声を送信できる機能を有するＰＤＡや携帯電話機等が用いられる。ここでは３台の端末１ａ、１ｂ、１ｃを１グループとした場合を例にして説明するが、台数についてはこれに限定されるものではない。
【０００８】
２は工場やビルあるいはイベント会場等の施設内（屋内）に敷設されたＬＡＮ等の通信網、３はこの通信網に接続された複数の無線通信装置（基地局）で、各端末１ａ、１ｂ、１ｃはこの通信網２及び最寄りの無線通信装置３を介して互いに通信可能となっている。
尚、無線通信装置３も図示した３つに限定されるものではなく、施設内の広さや通信網３の規模等に応じて設置される。
【０００９】
４は無線アクセスポイントや電子タグ等の無線ＩＤ発信器で、固有の発信器ＩＤ（識別子）定期的に無線発信するものであり、ここでは１つのみ示しているが、通信網２が敷設された屋内に多数設置されている。
５は通信網２に接続された管理サーバで、各端末１ａ〜１ｃから送られてくる通話中、送信中等の状態を図示しない記憶部に記憶して管理する機能を有しており、またこの管理サーバ５には、各端末１ａ〜１ｃと通信可能な無線通信装置３を特定する情報、及び各端末１ａ〜１ｃが同一グループであることを示す情報や等が図示しないデータベースに登録されていて、端末１ａ〜１ｃの通信時に必要な情報特に本実施例では各端末１ａ〜１ｃを携帯する利用者のうちの送信者の位置の特定に必要な発信器ＩＤを受信者の端末に送信する機能を有している。
【００１０】
図２は端末の正面図、図３は端末の構成を示すブロック図である。
図２に示すように端末１ａの表面には図２に示したように、液晶を利用した表示部１１、複数の機能ボタン１２、十字ボタン（スクロールボタン）１３、実行ボタン（決定ボタン）１４、及び通話ボタン１５、通話用のマイク１６及びスピーカ１７が設けられ、機能ボタン１２、十字ボタン１３、実行ボタン１４を操作して通信相手を決定した後、通話ボタン１５を指で押すことによりマイク１６を通じて利用者の音声を通信相手に送ることができ、通話ボタン１５を離すことで通信相手の音声をスピーカ１７により聞くことができる機能を有している。
【００１１】
この通話ボタン１５はプッシュトークボタンと呼ばれるもので、このボタンにより端末１ａは複数の通信相手の端末１ｂ、１ｃに同時に音声を送ることが可能である。
端末１ａの内部には図３に示す制御部１８、無線ＩＤ発信器４やサーバ及び端末１ｂ、１ｃと通信を行う通信部１９、及び記憶部２０を備えられ、記憶部２０には制御プログラムが格納されており、制御部１８はその制御プログラムに基づいて端末１ａ全体の動作を制御するものとなっている。
【００１２】
また、この記憶部２０には表示部１１画面データが格納されている他、端末１ｂ、１ｃの利用者名、グループ名、通信相手の端末１ｂ、１ｃのＩＰアドレス等が登録されており、更に端末１ｂ、１ｃとの通話時に送信者の端末の位置を特定するために各無線ＩＤ発信器４が発信する発信器ＩＤと各無線ＩＤ発信器４の設置位置を示す名称（例えば、フロアの名称、会議室の名称、経度緯度の座標）を対応付けた照合用テーブルも記憶されている。
【００１３】
尚、端末１ｂ、1ｃも同様の構成となっており、通話の際には相手のＩＰアドレスを送信することで呼出しを行うことが可能である。
図４は実施例の作用を示す図で、この図にＳで示したステップに従って動作を説明する。
尚、上述したように無線ＩＤ発信器４は自己のＩＤ（発信器ＩＤ）を定期的に発信しており、その通信エリア内に端末が入ると端末１ａ〜１ｃは無線ＩＤ発信器４からの発信器ＩＤを受信するものとなっており、ここでは端末１ａの利用者を送信者、端末１ｂ、１ｃの利用者を受信者として説明する。
【００１４】
例えば、端末１ａが図１に示した無線ＩＤ発信器４の通信範囲にあるものとした場合、この端末１ａを携帯している送信者が機能ボタン１２、十字ボタン１３、実行ボタン１４を操作して通信相手のグループ（端末１ａ、１ｂ）を決定し（Ｓ１）、その後、通話ボタン１５を押下すると（Ｓ２）、制御部１８は通信部１９を介して無線ＩＤ発信器４からの発信器ＩＤを取得する（Ｓ３）。
【００１５】
続いて制御部は、通信部１９により無線通信装置３及び通信網２を介して受信者の端末１ｂ、１ｃに通話のための呼出しをかけると共に、管理サーバ５に対して発信器ＩＤ及び自己の端末に予め与えられている端末ＩＤを送信する（Ｓ４）。
管理サーバ５は端末１ａから発信器ＩＤ及び端末ＩＤを受信すると（Ｓ５）、その受信した端末ＩＤをもとに図示しないデータベースの情報を検索して、端末１ａの通信相手のグループを特定し（Ｓ６）、特定されたグループの端末１ｂ、１ｃに対して端末１ａから受信した発信器ＩＤを通信網２及び無線通信装置３を介して送信する（Ｓ７）。
【００１６】
尚、管理サーバ５が端末１ａ、１ｂと通信可能な無線通信装置３を特定する技術は、携帯電話やＰＨＳの通信で通常用いられる技術が利用される。
端末１ｂ、１ｃの制御部１８は通信部１９により管理サーバ５からの発信器ＩＤを受信すると（Ｓ８）、受信した発信器ＩＤを記憶部２０に記憶されている送信者位置特定用のテーブルと照合し（Ｓ９）、受信した発信器ＩＤに対応する位置名称を特定して、その位置名称を送信者の現在位置を示す情報として図２に示したように表示部１１に文字表示する（Ｓ１０）。
【００１７】
このように受信者の端末１ｂ、１ｃの表示部１１に送信者の現在位置が文字表示されるので受信側の利用者は送信者の位置を容易に知ることがでボタン、この状態で送信者は受信者と会話することがでボタンる。
すなわち、送信者は端末１ａの通話ボタン１５を押したまま受信者に伝える言葉を話すと、その音声がマイク１６から入力され、音声信号として通信部１９により無線通信装置３、通信網２、無線装置３を介して受信者の端末１ｂ、１ｃに送信される。そして端末１ｂ、１ｃでは、通信部１９により受信した音声信号が音声に変換され、スピーカ１７から送信者の音声として出力される。
【００１８】
送信者が端末１ａの通話ボタン１５から指を離して押下を解除すると、端末１ａの制御部１８は、送信終了の通知を通信部１９により無線通信装置３、通信網２、無線装置３を介して受信者の端末１ｂ、１ｃに送信し、これにより端末１ｂ、１ｃは送信者の現在位置を示す情報終了する。
端末１ｂまたは端末１ｃの利用者が送信者となる場合も同様に現在位置を通信相手の端末の表示部に文字表示することが可能である。
【００１９】
尚、管理サーバから発信器ＩＤと共に送信者の端末ＩＤを送るようにすると共に、利用者の端末ＩＤに対応させて利用者の属性情報（端末の名称、端末ＩＤ、利用者の氏名、利用者の画像等）を対応させたテーブルを送信者位置特定用のテーブルと共に記憶部２０に格納しておけば、送信者の現在位置と共に属性情報を表示することも可能である。
以上説明した実施例によれば、送信者が自分が携帯する端末の通話ボタンを押下することで無線ＩＤ発信器から取得した発信器ＩＤを通信網を介して管理サーバに送り、その発信器ＩＤを管理サーバが通信網により受信者の端末に送信すると、受信者の端末は受信した発信器ＩＤ記憶部に記憶した送信者位置特定用のテーブルと照合し、発信器ＩＤに対応する位置名称を特定して、その位置名称を送信者を現在位置として受信者の端末の表示部に文字表示するようにしているため、送信者は自分の現在位置を受信者に説明する煩わしさがなくなり、受信者は送信者の正確な現在位置を容易に知ることがでボタンるという効果が得られる。
【００２０】
尚、上述した実施例では、送信者の端末（例えば、１ａ）から管理サーバ５を介して発信器ＩＤを受信者の端末（例えば、１ｂ、１ｃ）に送信して、受信者の端末の記憶部２０に記憶された送信者位置特定用のテーブルを用いて送信者の位置を表示部１１に文字表示するものとしたが、管理サーバ５を介さずに送信者の端末（例えば、１ａ）から通信網２および無線通信装置３により受信者の端末（例えば、１ｂ、１ｃ）に直接発信器ＩＤを送ることも可能であるので、システムとしては管理サーバ５を省略することも可能であるが、規模の大ボタンいシステムの場合は管理サーバ５を介在させることが望ましい。
【００２１】
また、上述した実施例では、各端末１ａ〜１部ｃの記憶部に１９に照合用テーブルを保有させるものとして説明したが、管理サーバ５に照合用テーブルを保有させ、送信者の端末（例えば、１ａ）から管理サーバ５に発信器ＩＤが送られると、管理サーバ５がその発信器ＩＤをもとに送信者位置特定用のテーブルと照合し、受信した発信器ＩＤに対応する位置名称を特定して、その位置名称を送信者の現在位置を示す文字情報として受信者の端末（例えば、１ｂ、１ｃ）に送信することにより、受信者の端末の表示部に表示するようにしてもよい。
【００２２】
更に受信者側の端末は、携帯可能なものに限らず、一般のＰＣであってもよい。
【図面の簡単な説明】
【００２３】
【図１】実施例を示すシステム構成図
【図２】実施例における端末の正面図
【図３】実施例における端末のブロック図
【図４】実施例の作用を示すフローチャート
【符号の説明】
【００２４】
１ａ〜１ｃ  端末
２    通信網
３    無線通信装置
４    無線ＩＤ発信器
５    管理サーバ
１１  表示部
１２  機能ボタン
１３  十字ボタン
１４  実行ボタン
１６  マイク
１７  スピーカ
１８  制御部
１９  通信部
２０  記憶部
【図１】
2007214833.tif 000003
【図２】
2007214833.tif 000004
【図３】
2007214833.tif 000005
【図４】
2007214833.tif 000006